(57)【要約】      （修正有）【課題】組立てや分解が容易に行え、取扱い易さをより向上させた的スタンド用器具を提供する。【解決手段】所定の設置面に立設される長尺体を支持する的スタンド用器具１であって、設置面に対して略垂直方向に延びる立設部１１と、設置面の面方向に延び、立設部１１を支持する支持部１２と、を備え、立設部１１は、長尺体が挿通される立設部挿通孔１１ａを有する。支持部は、その内部に設けられた中空部１２ｂと、中空部と外部とを連通し、長尺体が挿通される連通口１２ｃと、を有し、連通口の開口方向は、設置面の面方向と略平行であり、支持部が延びる方向と略垂直である。連通口は、支持部の延びる方向と略垂直方向に間隔を空けて一対設けられている。支持部は、その延びる方向に沿って設けられた、長尺体が挿通される支持部挿通孔１２ａを有する。【選択図】図１
0003229317.tif 000002
【実用新案登録請求の範囲】
【請求項１】
所定の設置面に立設される長尺体を支持する的スタンド用器具であって、
前記設置面に対して略垂直方向に延びる立設部と、前記設置面の面方向に延び、前記立設部を支持する支持部と、を備え、
前記立設部は、前記長尺体が挿通される立設部挿通孔を有する的スタンド用器具。
【請求項２】
前記支持部は、その内部に設けられた中空部と、前記中空部と外部とを連通し、前記長尺体が挿通される連通口と、を有し、
前記連通口の開口方向は、前記設置面の面方向と略平行であり、前記支持部が延びる方向と略垂直である、請求項１に記載の的スタンド用器具。
【請求項３】
前記連通口は、前記支持部の延びる方向と略垂直方向に間隔を空けて一対設けられている、請求項２に記載の的スタンド用器具。
【請求項４】
前記支持部は、その延びる方向に沿って設けられた、前記長尺体が挿通される支持部挿通孔を有する、請求項１〜３の何れかに記載の的スタンド用器具。
【請求項５】
前記支持部挿通孔は、前記支持部の延びる方向に亘って貫通して形成されている、請求項４に記載の的スタンド用器具。
【請求項６】
前記支持部は、前記支持部挿通孔と外部とを連通する小孔を有する、請求項４又は５に記載の的スタンド用器具。
【請求項７】
前記立設部を一対備え、
前記支持部は、前記一対の立設部を連結する連結部を有する、請求項１に記載の的スタンド用器具。
【請求項８】
前記支持部は、前記設置面の面方向に延び、前記設置面に載置される補助部を有し、
前記補助部は、前記連結部の延びる方向に対して略垂直に前記連結部と係合する、請求項７に記載の的スタンド用器具。
【請求項９】
前記連結部と前記補助部の何れか一方には、前記連結部の延びる方向に対して略垂直に突出する嵌合突起が設けられ、他方には、前記嵌合突起が挿通される嵌合穴が設けられている、請求項８に記載の的スタンド用器具。
【考案の詳細な説明】
【技術分野】
【０００１】
本考案は、射撃用的を保持する的スタンドに用いられる器具に関するものである。
【背景技術】
【０００２】
従来から、自衛隊や治安機関（警察、海上保安庁等）において、射撃用的を用いた射撃訓練、教育が行われてきた。
【０００３】
この射撃訓練は、多数の隊員によって繰り返し実施されることから、頻繁に射撃用的の交換が必要となる上、銃弾が射撃用的を保持する的スタンドに当たり、破損した場合には、この的用スタンドの交換も余儀なくされる。
【０００４】
このような実情から、従来の射撃訓練は、経済的なロスが大きいばかりか、交換に伴う労力も常に必要となるため、隊員の大きな負担となる、という問題があった。
【０００５】
このような問題点を解決するために、特許文献１には、耐久性を向上させ、ランニングコストを抑制することができる標的板の保持フレームに関する発明が記載されている。
【０００６】
また、特許文献２には、木製のものと比較して寿命が長く、取替えの手間を軽減できると共に、経済的な標的装置に関する発明が記載されている。
【０００７】
また、特許文献３には、標的への弾丸直撃時に反発力で弾き返るなどの危険性を効果的に防止でき、併せて反復使用性や取扱い性を高めた標的に関する発明が記載されている。
【先行技術文献】
【特許文献】
【０００８】
【特許文献１】特許第６０１７７７５号公報
【特許文献２】特許第３６１９９６０号公報
【特許文献３】特開１９９７−２８０７９４号公報
【考案の概要】
【考案が解決しようとする課題】
【０００９】
しかしながら、特許文献１に記載の発明は、左右の支持部や連結部等が一体となって構成されていることから、保持フレームの一部の欠損により交換が必要となった場合、保持フレーム全体の交換が必要となる。
【００１０】
また、特許文献２や特許文献３に記載の発明は、的スタンドが多数の部材で構成されていることから、組立て時や分解時の労力が大きくなるばかりか、重量も増大し、持ち運びにも不便なものとなる。
【００１１】
本考案は上記のような実状に鑑みてなされたものであり、組立てや分解が容易に行え、取り扱い易さをより向上させた的スタンド用器具を提供することを課題とする。
【課題を解決するための手段】
【００１２】
上記課題を解決するために、本考案は、所定の設置面に立設される長尺体を支持する的スタンド用器具であって、
前記設置面に対して略垂直方向に延びる立設部と、前記設置面の面方向に延び、前記立設部を支持する支持部と、を備え、
前記立設部は、前記長尺体が挿通される立設部挿通孔を有する。
【００１３】
本考案によれば、立設部挿通孔に長尺体が挿通された本的スタンド用器具を一対用いることで、容易に射撃用的を保持可能な的スタンドを組立てることが可能となる。
また、長尺体を立設部挿通孔から引抜くことで、容易に分解することが可能となる。
【００１４】
本考案の好ましい形態では、前記支持部は、その内部に設けられた中空部と、前記中空部と外部とを連通し、前記長尺体が挿通される連通口と、を有し、前記連通口の開口方向は、前記設置面の面方向と略平行であり、前記支持部が延びる方向と略垂直である。
【００１５】
このような構成とすることで、連通口に挿通された長尺体を用いて、一対の本的スタンド用器具を連結することができ、組立てた的スタンドの安定性を向上させることが可能となる。
【００１６】
本考案の好ましい形態では、前記連通口は、前記支持部の延びる方向と略垂直方向に間隔を空けて一対設けられている。
【００１７】
このような構成とすることで、連通口に挿通する長尺体が、射撃用的の幅よりも長いものであっても、両端を連通口から突出させた状態で用いることが可能となり、本的スタンド用器具の汎用性が向上する。
【００１８】
本考案の好ましい形態では、前記支持部は、その延びる方向に沿って設けられた、前記長尺体が挿通される支持部挿通孔を有する。
【００１９】
このような構成とすることで、支持部挿通孔に長尺体を挿通させ、組立てた的スタンドの不意の転倒を防止することが可能となる。
【００２０】
本考案の好ましい形態では、前記支持部挿通孔は、前記支持部の延びる方向に亘って貫通して形成されている。
【００２１】
このような構成とすることで、支持部挿通孔に挿通された長尺体により、組立てた的スタンドの前後双方の転倒を防止することができ、本的スタンド用器具の汎用性が向上する。
【００２２】
本考案の好ましい形態では、前記支持部は、前記支持部挿通孔と外部とを連通する小孔を有する。
【００２３】
このような構成とすることで、小孔を介して、支持部挿通孔に挿通された長尺体と本的スタンド用器具とを連結することができ、組立てた的スタンドの安定性を、さらに向上させることが可能となる。
【００２４】
本考案の好ましい形態では、前記立設部を一対備え、前記支持部は、前記一対の立設部を連結する連結部を有する。
【００２５】
このような構成とすることで、より簡便に的スタンドを組立てることが可能となる。
【００２６】
本考案の好ましい形態では、前記支持部は、前記設置面の面方向に延び、前記設置面に載置される補助部を有し、前記補助部は、前記連結部の延びる方向に対して略垂直に前記連結部と係合する。
【００２７】
このような構成とすることで、簡便な的スタンドの組立てを可能としつつ、組立てた的スタンドの安定性を向上させることが可能となる。
【００２８】
本考案の好ましい形態では、前記連結部と前記補助部の何れか一方には、前記連結部の延びる方向に対して略垂直に突出する嵌合突起が設けられ、他方には、前記嵌合突起が挿通される嵌合穴が設けられている。
【００２９】
このような構成とすることで、本的スタンド用器具をコンパクトな形態とすることができ、運搬時や収納時の取扱い易さが向上する。
【考案の効果】
【００３０】
本考案によれば、組立てや分解が容易に行え、取り扱い易さをより向上させた的スタンド用器具を提供することができる。
【図面の簡単な説明】
【００３１】
【図１】本考案の実施形態１に係る的スタンド用器具を示す図であって、（ａ）概略斜視図、（ｂ）ＸＸ´線断面図である。
【図２】本考案の実施形態１に係る的スタンド用器具の使用態様の説明図である。
【図３】本考案の実施形態１に係る的スタンド用器具の使用態様の説明図である。
【図４】本考案の実施形態１に係る的スタンド用器具の使用態様の説明図である。
【図５】本考案の実施形態１に係る的スタンド用器具の使用態様の説明図である。
【図６】本考案の実施形態１に係る的スタンド用器具の使用態様の説明図である。
【図７】本考案の実施形態１に係る的スタンド用器具の使用態様の説明図である。
【図８】本考案の実施形態２に係る的スタンド用器具を示す概略斜視図である。
【図９】本考案の実施形態２に係る的スタンド用器具を示す概略斜視図である。
【図１０】本考案の実施形態２に係る的スタンド用器具の使用態様の説明図である。
【考案を実施するための形態】
【００３２】
以下、図面を用いて、本考案の実施形態に係る的スタンド用器具について説明する。
なお、以下に示す実施形態は本考案の一例であり、本考案を以下の実施形態に限定するものではない。また、これらの図において、符号１は、本実施形態に係る的スタンド用器具を示す。
【００３３】
＜実施形態１＞
以下、図１〜図７を用いて、実施形態１に係る的スタンド用器具１について説明する。
【００３４】
図１に示すように、所定の設置面Ｇ（図３参照）に立設される長尺体Ａ（図３参照）を支持する的スタンド用器具１は、設置面Ｇに対して略垂直方向に延びる立設部１１と、設置面Ｇの面方向に延び、立設部１１を支持する支持部１２と、を備えている。
なお、的スタンド用器具１は、被弾した際の破損や破片の飛散を防止するために、ゴム等の弾性素材で形成されることが好ましい。
【００３５】
立設部１１は、略四角筒状に概略構成されており、長尺体Ａが挿通される立設部挿通孔１１ａを有する。
【００３６】
支持部１２は、立設部１１の下端に連結され、略四角筒状に概略構成されており、その延びる方向に沿って設けられた支持部挿通孔１２ａを有している。
また、支持部１２は、その内部に設けられた中空部１２ｂと、中空部１２ｂと外部とを連通する連通口１２ｃと、支持部挿通孔１２ａと外部とを連通する小孔１２ｄと、を有している。
【００３７】
支持部挿通孔１２ａは、支持部１２の延びる方向に亘って貫通して形成されている。これにより、図１（ｂ）に示すように、支持部挿通孔１２ａの略中央に中空部１２ｂが配置される態様となされている。
【００３８】
連通口１２ｃは、その開口方向が設置面Ｇの面方向と略平行であり、支持部１２が延びる方向と略垂直方向に間隔を空けて、即ち、支持部１２の対向する二側面に一対設けられている。
【００３９】
小孔１２ｄは、連通口１２ｃと同様に、支持部１２の対向する二側面であって、支持部挿通孔１２ａの両側開口端の近傍に、丸孔として設けられている。
また、小孔１２ｄは、支持部１２の上面であって、支持部挿通孔１２ａの両側開口端の近傍にも設けられている。
【００４０】
ここで、図１（ｂ）に示すように、立設部挿通孔１１ａと支持部挿通孔１２ａとは中空部１２ｂを介して連通している。
【００４１】
また、立設部挿通孔１１ａにおける設置面Ｇの面方向に沿った断面と、支持部挿通孔１２ａ及び中空部１２ｂにおける支持部１２が延びる方向と略垂直方向に沿った断面と、は、略同一の面積、且つ略同一の四角形状として構成されている。
さらに、連通口１２ｃについても、上記各断面と同一の面積、且つ略同一の四角形状として構成されている。
【００４２】
このように構成することで、立設部挿通孔１１ａ及び支持部挿通孔１２ａに、同一の長尺体Ａを挿通させることができる。
また、連通口１２ｃを介した中空部１２ｂへの挿通についても、同一の長尺体Ａを用いて行うことができる。
【００４３】
なお、的スタンド用器具１は、立設部１１が支持部１２の略中央から延びていることで、全体が逆Ｔ字状に構成されている。
【００４４】
以下、図２〜図６を用いて、本実施形態に係る的スタンド用器具１の使用態様について説明する。
なお、本実施形態では、長尺体Ａとして、角柱状の垂木を用いた例を示すが、これに限られず、例えば鉄製のパイプや、プラスチックの角材等であっても良い。
【００４５】
まず、使用者は、図２に示すように、一本の長尺体Ａと、支持部挿通孔１２ａ及び連通口１２ｃと、を用いて、連結された一対の的スタンド用器具１を、二組作製する。
【００４６】
詳述すれば、使用者は、図２（ａ）に示すように、一方の的スタンド用器具１について、長尺体Ａを一対の連通口１２ｃを介して中空部１２ｂ内に挿通させ、他方の的スタンド用器具１について、この長尺体Ａを支持部挿通孔１２ａに挿通させる。
また、使用者は、図２（ｂ）に示すように、両方の的スタンド用器具１について、長尺体Ａをそれぞれの一対の連通口１２ｃを介して中空部１２ｂ内に挿通させる。
【００４７】
そして、図２（ａ）に示す他方の的スタンド用器具１について、使用者は、小孔１２ｄを介して長尺体Ａにネジ等の留め具ｆを打ち込み、長尺体Ａと他方の的スタンド用器具１を連結させておく。
なお、一対の的スタンド用器具１の連結態様はこれに限られず、使用環境等に合わせて、長尺体Ａを両方の的スタンド用器具１の支持部挿通孔１２ａに挿通させても良い。また、図２（ａ）に示す連結態様の的スタンド用器具１を二組作製しても良い。
【００４８】
次に、使用者は、図３に示すように、図２（ａ）に示した一対の的スタンド用器具１の各立設部１１の立設部挿通孔１１ａに、長尺体Ａの一端を挿通させる。
【００４９】
次に、使用者は、図４に示すように、図３に示した状態の一対の的スタンド用器具１及び各長尺体Ａを上下反転させ、図２（ｂ）に示した一対の的スタンド用器具１の各立設部１１の立設部挿通孔１１ａに、長尺体Ａの他端を挿通させる。
【００５０】
次に、使用者は、図５に示すように、設置面Ｇに載置されている一方の的スタンド用器具１一つの小孔１２ｄに紐を挿通させ、この紐を介して、土嚢袋等の錘部材Ｗを取付けておく。
なお、錘部材Ｗの取付け方としては、紐を小孔１２ｄに括り付ける方法の他、錘部材Ｗにフック状の部材を連結しておき、このフック状の部材を小孔１２ｄに引掛ける、といった手段も考えられる。
また、このように的スタンド用器具１の安定性を高めておく手段としては、この他に、小孔１２ｄに紐状体を挿通させ、この紐状体を別途安定性の高い柱や建物の一部等に括り付けておく、といった手段も考えられる。
【００５１】
次に、使用者は、図６に示すように、設置面Ｇに載置されている各的スタンド用器具１の支持部挿通孔１２ａに、長尺体Ａを挿通させる。
なお、各的スタンド用器具１の中空部１２ｂには、連通口１２ｃを介して既に別の長尺体Ａが挿通されているため、４本の長尺体Ａを用いて、図６に示す状態とする。
【００５２】
上記のように、的スタンド用器具１と複数本の長尺体Ａとを用いることで、的スタンドＳが組み立てられる。
【００５３】
そして、使用者は、図７に示すように、長方形板状の射撃用的Ｘの各長辺付近を、立設されている一対のＡに当接させ、例えばガンタッカー等の工具を用いて、射撃用的Ｘを的スタンドＳに取付ける。
なお、使用者は、射撃用的Ｘを、上方の長尺体Ａを用いて、ぶら下げるような態様で的スタンドＳに取付けることもできる。
【００５４】
上記のように構成された的スタンドＳ及び射撃用的Ｘを用いた訓練が終わり、片付ける際や、交換により運搬する際には、使用者は、留め具ｆや錘部材Ｗを取外し、各長尺体Ａを引抜くことで、容易に的スタンドＳを解体することができる。
【００５５】
即ち、本実施形態によれば、立設部挿通孔１１ａに長尺体Ａが挿通された的スタンド用器具１を一対用いることで、容易に射撃用的Ｘを保持可能な的スタンドＳを組立てることが可能となり、また、長尺体Ａを立設部挿通孔１１ａから引抜くことで、容易に分解することが可能となる。
【００５６】
また、連通口１２ｃに挿通された長尺体Ａを用いて、一対の的スタンド用器具１を連結することができ、組立てた的スタンドＳの安定性を向上させることが可能となる。
【００５７】
また、連通口１２ｃが、支持部１２の延びる方向と略垂直方向に間隔を空けて一対設けられていることで、連通口１２ｃに挿通する長尺体Ａが、射撃用的Ｘの幅よりも長いものであっても、両端を連通口１２ｃから突出させた状態で用いることが可能となり、的スタンド用器具１の汎用性が向上する。
【００５８】
また、支持部１２が支持部挿通孔１２ａを有することで、支持部挿通孔１２ａに長尺体Ａを挿通させ、組立てた的スタンドＳの不意の転倒を防止することが可能となる。
【００５９】
また、支持部挿通孔が、支持部の延びる方向に亘って貫通して形成されていることで、支持部挿通孔１２ａに挿通された長尺体Ａにより、組立てた的スタンドＳの前後双方の転倒を防止することができ、的スタンド用器具１の汎用性が向上する。
【００６０】
また、支持部１２が小孔１２ｄを有することで、小孔１２ｄを介して、支持部挿通孔１２ａに挿通された長尺体Ａと的スタンド用器具１とを連結することができ、組立てた的スタンドＳの安定性を、さらに向上させることが可能となる。
【００６１】
＜実施形態２＞
以下、図８〜図１０を用いて、実施形態２に係る的スタンド用器具１´について説明する。
なお、実施形態２において、実施形態１と基本的に同一の構成要素については、同一符号を付してその説明を簡略化する。
【００６２】
図８に示すように、的スタンド用器具１´は、実施形態１と同様に、設置面Ｇに対して略垂直方向に延びる立設部１１と、設置面Ｇの面方向に延び、立設部１１を支持する支持部１３と、を備えている。
【００６３】
また、的スタンド用器具１´は、立設部１１を一対備え、支持部１３は、一対の立設部１１を連結する連結部１３ａと、設置面Ｇの面方向に延び、設置面Ｇに載置される補助部１３ｂと、を有する。
【００６４】
立設部１１は、略四角筒状に概略構成されており、長尺体Ａが挿通される立設部挿通孔１１ａを有する。
【００６５】
連結部１３ａは、一対の立設部１１に懸架され、設置面Ｇに載置される長方形状の薄板状体として構成されている。
【００６６】
補助部１３ｂは、連結部１３ａの延びる方向に対して略垂直に連結部１３ａと係合する長方形状の薄板状体として構成されている。
【００６７】
また、連結部１３ａには、連結部１３ａの延びる方向に対して略垂直に突出する嵌合突起Ｃ１が設けられ、補助部１３ｂには、嵌合突起Ｃ１が挿通される嵌合穴Ｃ２が設けられている。
嵌合突起Ｃ１には、表面にねじ切り加工が施されている。
なお、嵌合突起Ｃ１及び嵌合穴Ｃ２は、連結部１３ａ及び補助部１３ｂの長さ方向に沿って一対設けられている。また、連結部１３ａに嵌合穴Ｃ２が、補助部１３ｂに嵌合突起Ｃ１が、それぞれ設けられていても良い。
【００６８】
図９は、図８に示す支持部１３を分解し、コンパクトな形態とする工程の説明図である。
使用者は、図９（ａ）に示すように、連結部１３ａを上方に持ち上げることで、連結部１３ａと補助部１３ｂとを分解することができる。
なお、図９（ａ）に示すように、連結部１３ａと補助部１３ｂは、それぞれの略中央に、互いに係合するための相欠きｎが、それぞれの面方向に沿って設けられている。
【００６９】
そして、使用者は、図９（ｂ）に示すように、補助部１３ｂを連結部１３ａに積層させることで、各嵌合穴Ｃ２に各嵌合突起Ｃ１を挿通させる。
このとき、各嵌合突起Ｃ１に、それぞれ蝶ナットｔを螺嵌させることで、補助部１３ｂと連結部１３ａとの積層状態が安定的に維持される。
【００７０】
これにより、的スタンド用器具１´がコンパクトな形態となり、使用者は、的スタンドＳを片付ける際や交換する際等に、容易に運搬することができる。
【００７１】
図１０は、図７において示した実施形態１の的スタンドＳにおいて、設置面Ｇに載置されている的スタンド用器具１を、本実施形態の的スタンド用器具１´とした際の概略斜視図である。
【００７２】
本実施形態によれば、立設部１１を一対備え、支持部１３が、一対の立設部１１を連結する連結部１３ａを有することで、より簡便に的スタンドＳを組立てることが可能となる。
【００７３】
また、補助部１３ｂにより、簡便な的スタンドＳの組立てを可能としつつ、組立てた的スタンドＳの安定性を向上させることが可能となる。
【００７４】
また、連結部１３ａ及び補助部１３ｂに、それぞれ嵌合突起Ｃ１及び嵌合穴Ｃ２が設けられていることで、的スタンド用器具１´をコンパクトな形態とすることができ、運搬時や収納時の取扱い易さが向上する。
【００７５】
なお、上述の各実施形態において示した各構成部材の諸形状や寸法等は一例であって、設計要求等に基づき種々変更可能である。
【符号の説明】
【００７６】
１、１´  的スタンド用器具
１１      立設部
１１ａ    立設部挿通孔
１２      支持部
１２ａ    支持部挿通孔
１２ｂ    中空部
１２ｃ    連通口
１２ｄ    小孔
１３      支持部
１３ａ    連結部
１３ｂ    補助部
Ｃ１      嵌合突起
Ｃ２      嵌合穴
ｎ        相欠き
Ｓ        的スタンド
Ａ        長尺体
Ｘ        射撃用的
Ｇ        設置面
Ｗ        錘部材
ｆ        留め具
【図１】
0003229317.tif 000003
【図２】
0003229317.tif 000004
【図３】
0003229317.tif 000005
【図４】
0003229317.tif 000006
【図５】
0003229317.tif 000007
【図６】
0003229317.tif 000008
【図７】
0003229317.tif 000009
【図８】
0003229317.tif 000010
【図９】
0003229317.tif 000011
【図１０】
0003229317.tif 000012